(57)【特許請求の範囲】
【請求項１】
断面が薄肉開断面のエクステンション用毛束取付用チップを地毛に圧着するための圧着具であって、
一対の柄からなる把持部と、
上顎部と下顎部からなる噛合部を備え、
前記上顎部と前記下顎部のそれぞれに、凹部と凸部が長手方向に交互に設けられ、
前記下顎部の凸部の上部には前記チップが載置可能であり、
前記一対の柄部を近づけるように前記把持部を把持することで、前記上顎部の凹部と凸部をそれぞれ前記下顎部の凸部と凹部に噛合させて、前記上顎部の凹部に集約された地毛を前記チップに圧着する圧着具。
【請求項２】
前記上顎部の凸部の側部はテーパー状で、且つ頭頂部が丸みを帯びている
請求項１記載の圧着具。
【請求項３】
前記薄肉開断面は少なくとも凸部を一つ有している請求項１乃至２に記載の圧着具。
【請求項４】
請求項１乃至３に記載の圧着具と
チップ載置補助具を備え、
前記チップ載置補助具はチップ送り溝が設けられた主面を有し、
前記チップ載置補助具は前記噛合部に対して、前記チップ送り溝と前記チップ載置溝が連続するよう結合されているエクステンション用毛束の取付具。
【請求項５】
請求項４に記載のエクステンション用毛束の取付具であって、
チップ送り補助具を備え、
前記チップ送り補助具は、
前記主面上のチップを前記下顎側に押して移動させるための複数の櫛歯を備えている
エクステンション用毛束の取付具。
【発明の詳細な説明】
【技術分野】
【０００１】
本発明はエクステンション用毛束を人の地毛に取付けるための道具に関する。
【背景技術】
【０００２】
人の頭髪に化学繊維や人毛で作られた毛束を装着し、頭髪の長さを補ったり頭髪に好みの量感や質感を出したりすることで自らのヘアスタイルを変える手段として、ヘアエクステンションが行われている。
【０００３】
ヘアエクステンションにおいて、エクステンション用の毛束を頭髪に装着する方法の一つとして、リング状やＵ字形状の連結部材にエクステンション用束毛と頭髪の一部を通して、ペンチ状の圧着具で圧潰して装着する方法がある。
【０００４】
例えば特許文献１には、リング状の連結部材である管体の中に、頭髪の一部と義毛を挿通し、その管体を圧着具で圧着することで、義毛を頭髪に装着する方法が開示されている。
【０００５】
また特許文献２では、Ｕ字形状の腕部を有する圧着金具に、自毛束とエクステンション用束を挿通し、腕部を圧着ペンチで圧着することで、エクステンション用束を自毛束に装着する方法が開示されている。
【先行技術文献】
【特許文献】
【０００６】
【特許文献１】特開２００６−０６８８６７号公報
【特許文献２】特開２００４−０２７４０２号公報
【発明の概要】
【発明が解決しようとする課題】
【０００７】
通常、ヘアエクステンションで装着するエクステンション用の毛束の本数はおよそ４０束以上あり、短時間ですべてのエクステンション毛束を取り付けるためには作業の効率化が求められる。
【０００８】
しかしながら、特許文献１に記載された発明では、一回の圧着作業当たりに頭髪に取付けられる義毛は一束のみであった。またその取り付け作業においては頭髪の一部を管体の穴に挿通しなければならなかった。リング状の管体の中に複数の頭髪を挿通するためには、通常はリングの中にカギ針を通し、カギ針に頭髪を引っ掛けて管体に挿通するなどの細かい作業を行う必要があり、一連の装着作業を効率的に行うことができなかった。
【０００９】
また特許文献２においても、一回の圧着作業当たりに自毛に取付けられるエクステンション束は一束のみであった。またその取り付け作業においては、Ｕ字形状の腕部を有する圧着金具に自毛束を載置し、圧着ペンチで腕部を加締めて自毛束を装着する。この作業はエクステンション用束を一束取り付ける毎に必要であり、エクステンション束の装着作業が効率的でなかった。
【００１０】
本発明は上記事情に鑑み、人の地毛へのエクステンション毛束の取り付け作業を効率的に行うことのできる道具を提供する。
【課題を解決するための手段】
【００１１】
本発明に係るエクステンション用毛束の取付具である圧着具は、
断面が薄肉開断面のエクステンション用毛束取付用チップを地毛に圧着するための圧着具であって、
一対の柄からなる把持部と、
上顎部と下顎部からなる噛合部を備え、
前記上顎部と前記下顎部のそれぞれに、凹部と凸部が長手方向に交互に設けられ
前記下顎部の凸部の上部にはチップ載置溝が設けられ、
前記一対の柄部を近づけるように前記把持部を把持することで、前記上顎部の凹部と凸部がそれぞれ前記下顎部の凸部と凹部と噛合する。
【発明の効果】
【００１２】
本発明に係るエクステンション用毛束の取付具を用いると、一回の圧着作業当たりに地毛に取付けられるエクステンション毛束を複数にでき、地毛へのエクステンション毛束の取り付け作業を効率的に行うことができる。
【００１３】
また、圧着作業後に次の圧着作業に備えてチップ等の被圧着物を圧着工具に載置する作業を簡便化することで、連続した圧着作業を可能にし、エクステンション毛束の取り付け作業を効率化できる。
【図面の簡単な説明】
【００１４】
【図１】本実施の形態に係るエクステンション用毛束を人の地毛に取付けるための取付具の説明図である。
【図２】本実施の形態に係るエクステンション用毛束付きチップの説明図である。
【図３】本実施の形態に係るエクステンション用毛束の取付具の使用方法の説明図である。
【図４】本実施の形態に係る圧着具によって地毛をチップに圧着する過程の説明図である。
【図５】本実施の形態に係る第２の実施形態に用いる圧着具の下顎部の説明図である。
【図６】本実施の形態に係る第２の実施形態で用いるチップ載置補助具の説明図である。
【図７】本実施の形態に係る第２の実施形態で用いるチップ送り補助具の説明図である。
【発明を実施するための形態】
【００１５】
＜第１の実施の形態＞
まず本実施の形態に係るエクステンション用毛束の取付具の構成を説明し、その後、その使用方法について説明する。
【００１６】
図１（ａ）及び（ｂ）はそれぞれ本実施の形態に係るエクステンション用毛束の取付具である第１の圧着具１ａの正面図と平面図である。
【００１７】
第１の圧着具１ａは一対の杆体２ａ及び２ｂで構成されている。杆体２ａ及び２ｂは、それぞれ長手方向に向かって若干屈曲した柄状の部材であって、例えば金属製の部材である。杆体２ａ及び２ｂは軸部９を中心に回動可能に軸支される。杆体２ａの一端側には上顎部３が、杆体２ｂの一端側には下顎部４が形成されており、上顎部３及び下顎部４はそれぞれ所定の厚みを有する。
【００１８】
上顎部３には、厚み方向に畝が延伸する凸部５ａと、同じく厚み方向に溝が延伸する凹部５ｂが、杆体２ａの長手方向に向かって交互に繰り返すように複数設けられている。また下顎部４には、厚み方向に溝が延伸する凹部６ａと、同じく厚み方向に畝が延伸する凸部６ｂが、杆体２ｂの長手方向に向かって交互に複数設けられている。
【００１９】
上顎部３の凸部５ａは下顎部４の凹部６ａと、上顎部３の凹部５ｂは下顎部の凸部６ｂと、それぞれ噛合可能なように形成されており、上顎部３と下顎部４によって噛合部１０が構成される。
【００２０】
また杆体２ａの他端側には柄部７ａが、杆体２ｂの他端側には柄部７ｂがそれぞれ設けられ、柄部７ａ及び柄部７ｂから把持部８が構成される。また柄部７ａと柄部７ｂが離間する方向に付勢するように、ばね部材１１が杆体２ａ及び杆体２ｂの間に設けられている。第１の圧着具１ａは、ユーザが柄部７ａと柄部７ｂ近づけるように把持部８を把持することで、軸部９が回動し、上顎部３の凸部５ａと凹部５ｂのそれぞれが、下顎部４の凹部６ａと凸部６ｂと噛合する。
【００２１】
ここで第１の圧着具１ａの上顎部３をその厚み方向に見た場合、凸部５ａの側部はテーパー状となっており、頭部は丸みを帯びた形状となっている。この形状により地毛の毛束を上顎部３の凹部５ｂに容易に集約できる。また第１の圧着具１ａの下顎部４の凸部６ｂの上部には厚み方向に向かって浅い溝が設けられ、後述するエクステンション用毛束が取り付けられたチップが載置される。更に第１の圧着具１ａの上顎部３の凹部５ｂの底部は、厚み方向から見て円弧状となっている。
【００２２】
また図１には図示しないが上顎部３の先端部分にはテールコーム（長細い柄付きの櫛）のテール部分（長細い柄の部分）が着脱可能に取り付けられるようになっていても良い。その際、テールの長さは上顎部３の長手方向の長さと同程度が望ましい。
【００２３】
図１（ｃ）に本実施の形態に係るエクステンション用毛束の取付具である第２の圧着具１ｂの正面図を示す。第２の圧着具１ｂの構成は、上顎部３の凹部５ｂの底部の形状が厚み方向から見て略Ｍ字の形状となっている点を除いて、第１の圧着具１と同様であるので詳細の説明は割愛する。本実施の形態においては後述するエクステンション用毛束付きチップの形状に応じて、第１の圧着具１ａと第２の圧着具１ｂを選択して使用可能である。なお凹部５ｂの底部の形状はエクステンション用毛束付きチップの形状に応じて適宜変更可能である。
【００２４】
次に図２を用いて本実施の形態に係るエクステンション用毛束付きチップを説明する。ここでのチップとは人の地毛とエクステンション用毛束を連結する連結部材を意味している。
【００２５】
図２（ａ）は第１のエクステンション用毛束付きチップ２０ａである。第１のエクステンション用毛束付きチップ２０ａはチップ本体２１ａとエクステンション用毛束２２ａからなる。
【００２６】
図２（ｂ）はチップ本体２１ａの平面図であり、図２（ｃ）は図２（ｂ）のＡ−Ａ線におけるチップ本体２１ａの断面図である。図２（ｃ）に示すようにチップ本体２１ａの断面は、凸部２３ａを一つ有する薄肉の開断面である略Ｌ字断面の形状をしている。エクステンション用毛束２２ａは化学繊維や人毛で作られた毛束であって、一端が接着剤等によってチップ本体２１ａに取りけられている。
【００２７】
図２（ｄ）は第２のエクステンション用毛束付きチップ２０ｂを示す。第２のエクステンション用毛束付きチップ２０ｂはチップ本体２１ｂとエクステンション用毛束２２ｂからなる。
【００２８】
図２（ｅ）はチップ本体２１ｂの平面図であり、図２（ｆ）は図２（ｅ）のＢ−Ｂ線におけるチップ本体２１ｂの断面図である。図２（ｆ）に示すように、チップ本体２１ｂの断面は、凸部２３ｂを一つ有する薄肉の開断面であるＵ字断面の形状をしている。エクステンション用毛束２２ｂもエクステンション用毛束２２ａと同様に、化学繊維や人毛で作られた毛束であって、一端が接着剤等によってチップ本体２１ｂに取りけられている。
【００２９】
なおエクステンション用毛束付きチップに用いられるチップ本体の形状は、チップ本体２１ａ及び２１ｂの形状に限られるものではなく、断面が開断面である形状を有するものであればよい。またその開断面において凸部を少なくとも一つ有するものであれば、その凸部を下顎部４の凸部６ｂの上部の溝に置くことで、安定してチップを圧着具の下顎部に載置できる。またその形状は使用する圧着具の上顎部の凹部の底部の形状に応じ適宜変更しても良い。例えばチップ本体２１ａは圧着具１ａに対して、チップ本体２１ｂ圧着工具１ｂに対して好適な形状となっている。
【００３０】
またチップ本体の材質については、衝撃を受けていない時には硬い形状が維持され、適度の衝撃を受けた時のみ圧潰することができるものであれよく、例えばアルミニウムや銅などの金属や、ポリマーアロイ等の高機能樹脂材料などが好適である。
【００３１】
これにより本実施の形態における第１の圧着具１ａや第２の圧着具１ｂ等の圧着具によりチップ本体を圧潰することで、チップ本体を例えば筒形状に変形し、地毛を円筒の内部に包み込んでチップ本体に固定することができる。
【００３２】
次に図３及び図４を用いて本実施の形態に係るエクステンション用毛束の取付具の使用方法を説明する。
【００３３】
図３（ａ）及び（ｂ）は第１の圧着具１ａのユーザであるエクステンション施術者が、第１の圧着具１ａを用いて、エクステンション用毛束付きチップ２０ａを被施術者の頭髪に取付ける作業（エクステンション作業）を施している図である。
【００３４】
まず施術者は図３（ａ）に示すように、被施術者の頭部から一定量の頭髪から板状の毛束を取り分ける。その際、施術者は圧着具１ａの上顎部３の先端部分にはテール３０を取り付け、そのテールで毛束を取り分ける作業を行っても良い。
【００３５】
次に、施術者は図３（ｂ）に示すように、取り分けた板状の地毛の毛束に圧着具１ａの上顎部３の凹凸部を当て、これらで毛束を梳かす。この時、第１の圧着具１ａの上顎部３の凸部５ａの頭部は丸みを帯びた形状であり、その側部は、厚み方向に見た場合、テーパー状になっているので、分けられた細い毛束は、図３（ｃ）に示すように上顎部３の凹部５ｂの底部に容易に集約される。つまり、板状の毛束を、上顎部３の凸部５ａによって、より細い複数の毛束に容易に分けることができる。
【００３６】
次に、図４（ａ）及び（ｂ）を用いて、第１の圧着具１ａによって地毛にチップ本体２１ａを圧着する過程を説明する。
【００３７】
まず第１の圧着具の下顎部４の複数の凸部６ｂのそれぞれについて、上部の浅い溝にエクステンション用毛束が取り付けられたチップ２０ａのチップ本体２１ａを載置する。
【００３８】
図４（ａ）は第１の圧着具１ａによって地毛にチップ本体２１ａを圧着する前の状態である。具体的には既に説明したように頭髪の毛束が第１の圧着具１ａの上顎部３の凹部５ｂに集約され、第１の圧着具１ａの下顎部４の凸部６ｂの上部の浅い溝に、チップ本体２１ａを載置した状態を示す。なおこの時、チップ本体２１ａが上顎部３にやや接触する程度に、上顎部３と下顎部４を近づけておくのが好ましい。チップ本体２１ａを安定して浅い溝状に載置できるからである。
【００３９】
この状態で、施術者は第１の圧着具１ａの柄部７ａと柄部７ｂ近づけるように把持部８を把持する。これにより軸部９が回動し、上顎部３の凸部５ａと凹部５ｂのそれぞれが、前記下顎部４の凹部６ａと凸部６ｂと噛合することでチップ本体２１を圧潰する。
【００４０】
図４（ｂ）は第１の圧着具１ａによる圧潰によって地毛にチップ本体２１ａを圧着した後の状態を示している。Ｌ字断面の形状のチップ本体２１ａは、厚み方向から見て円弧状となっている上顎部３の凹部５ｂの底部に沿って筒状に丸まる。この時、筒の内部に毛髪の束を包み込むように丸まるので、地毛がチップ本体２１ａに連結される。
【００４１】
本実施の形態に係る第１の圧着具１ａを用いることで、上記のような圧着を、第１の圧着具１ａの下顎部４の複数の凸部６ｂに載置されたすべてのチップ本体２１ａ対して同時に行うことができる。これにより一回の圧着作業当たりに地毛に取付けられるエクステンション毛束を複数にでき、地毛へのエクステンション毛束の取り付け作業を効率的に行うことができる。
【００４２】
またこの圧着作業において、第１の圧着具１ａに代えて第２の圧着具１ｂを用い、第１のエクステンション用毛束付きチップ２０ａの代わりに第２のエクステンション用毛束付きチップ２０ｂを用いても良い。
【００４３】
図４（ｃ）及び（ｄ）は第２の圧着具１ｂによって地毛にチップ本体２１ｂを圧着する過程を示す図である。
【００４４】
図４（ｃ）は第２の圧着具１ｂによって地毛にチップ本体２１ｂを圧着する前の状態である。具体的には頭髪の毛束が第２の圧着具１ｂの上顎部３の凹部５ｂに集められ、第２の圧着具１ｂの下顎部４の凸部６ｂの上部の溝にチップ本体２１ｂが載置された状態を示す。
【００４５】
この状態で、施術者が第２の圧着具１ｂの柄部７ａと柄部７ｂ近づけるように把持部８を把持する。これにより軸部９が回動し、上顎部３の凸部５ａと凹部５ｂのそれぞれが、前記下顎部４の凹部６ａと凸部６ｂと噛合することでチップ本体２１ｂを圧潰する。
【００４６】
図４（ｄ）はこの第２の圧着具１ｂによる圧潰によって地毛にチップ本体２１ｂを圧着した後の状態である。Ｕ字断面の形状のチップ本体２１ｂは厚み方向から見てＭ字となっている上顎部３の凹部５ｂの底部に沿って、Ｕ字の２つの腕が、Ｕ字の内側に向かうように丸まる。これにより筒形状の内部の毛髪の束が包み込まれ地毛にチップ本体２１ｂが連結される。
【００４７】
第１の圧着具を用いた場合と同様に下顎部４の複数の凸部６ｂに載置されたすべてのチップ本体２１ｂ対して圧着を同時に行うことができ、一回の圧着作業当たりに地毛に取付けられるエクステンション毛束を複数にできる。これにより地毛へのエクステンション毛束の取り付け作業を効率的に行うことができる。
【００４８】
＜第２の実施の形態＞
次に本発明に係る第２の実施形態について説明する。第２の実施の形態では、圧着具とエクステンション毛束取付用チップに加えて、エクステンション用毛束付きチップを圧着工具に載置する作業を効率化するためのチップ載置補助具６０を用いる。また併せて、更に作業を簡易化させるためのチップ送り補助具７０を用いても良い。
【００４９】
まず図５（ａ）には第２の実施形態に用いる圧着具の下顎部４の正面図を示す。また図５（ａ）のＣ−Ｃ線における断面図を図５（ｂ）に示す。
【００５０】
第２の実施形態における圧着具の下顎部４にはチップ載置補助具６０を取り付けるためのネジを取り付けるためのネジ穴５３が２つ設けられている。また下顎部４の長手方向に沿って、歯車の歯が施された平板であるラック５１が取り付けられている。ラック５１は、下顎部４に施されたライン５２をレールとして、ライン５２が施された方向を往来自在に動く。下顎部４のその他の構造は実施の形態１で説明したものと同一である。
【００５１】
図６（ａ）はチップ載置補助具６０を下顎部４に取り付けた状態を斜視図で示した図である。図６（ｂ）、（ｃ）及び（ｄ）はそれぞれ、チップ載置補助具６０の正面図、平面図、側面図を示している。
【００５２】
チップ載置補助具６０は、その主面６１において、下顎部４の凸部６ｂに設けられた溝と略同一の幅と深さを有する複数のチップ送り溝６２が並列に設けられている。そしてチップ送り溝６２は下顎部４に対して、チップ送り溝６２が下顎部４の凸部６ｂに設けられた溝と連続するようネジを用いて結合される。なお下顎部４とチップ載置補助具６０の連結方法はねじ止めの方法に限られず適宜の方法で連結しても良い。
【００５３】
複数のチップ送り溝６２のそれぞれには、図６（ａ）に示すように、複数個のエクステンション毛束付きチップ２０ａ又は２０ｂを一列に並べることができる。並べられたチップは、チップ送り溝に６２に沿って、下顎部５０側に移動させることで、容易にチップを下顎部４の凸部６ｂの溝に載置することができる。これにより一回の圧着作業が終了した後、直ちに次の圧着作業に備えて新たなチップを下顎部４の凸部６ｂの溝に載置することができ、連続した圧着作業が可能となる。これによりエクステンション毛束の取り付け作業を効率化することができる。
【００５４】
また本実施の形態においてはチップ送り溝６２に沿ったチップの移動させる作業をさらに簡易化するためのチップ送り補助具を用いることもできる。
【００５５】
図７は本実施の形態に係るチップ送り補助具７０をチップ載置補助具６０に取付けた状態を説明するための図である。また図７においてチップ載置補助具６０は下顎部４に連結されている。
【００５６】
まず図７（ａ）は、チップ送り補助具７０をチップ載置補助具６０のチップ送り溝６２がある主面６１側からみた図である。チップ送り補助具７０は、チップ載置補助具６０の主面６１側に、チップを下顎側に押して移動させるため櫛歯部７１を備える。櫛歯部７１は、チップ載置補助具６０のチップ送り溝６２と同数の櫛歯を有する。
【００５７】
またチップ送り補助具７０の櫛歯部７１と対向する面には裏面７２がある。図７（ｂ）は裏面７２側からチップ送り補助部７０を見た図である。またチップ送り補助具７０には側面７３ａ、７３ｂと正面７３ｃがある。側面７３ａと７３ｂはチップ載置補助具６０の側面を外部からカバーする面で、裏面７２と直交し、互いに対向している。正面７３ｃは、チップ載置補助具６０の正面を外部からカバーする面で、裏面７２、側面７３ａと７３ｂのそれぞれと直交する。裏面７２のチップ載置補助具に近いほうの端部の中央付近にはワイヤ７４が取り付けられている。
【００５８】
ここでチップ載置補助具６０は更にワイヤ巻取り用ピニオン７５を備えている。ワイヤ巻取り用ピニオン７５はピニオン部７５ａ及びワイヤ巻取り部７５ｂで構成される。
【００５９】
ピニオン部７５ａは下顎部４に設けられたラック５１との組み合わせにより、ラック・アンド・ピニオン構造を構成する。すなわち、ピニオン部７５ａとラック５１のギアが篏合し、ラック５１をスライドさせることにより、ピニオン部７５ａを回転させることができる。ピニオン７５ａの回転に伴いワイヤ巻取り部７５ｂも回転し、ワイヤ７４を巻き取ることができる。またこの機構に加えてラチェット機構などの逆回転防止機構７６を備えていても良い。
【００６０】
上記のラック・アンド・ピニオン機構により、エクステンションの施術者がラック５１をスライドさせることで、ワイヤ７４がワイヤ巻取り部７５ｂに巻き取られる。これに伴い、チップ送り補助部７０がチップ載置補助具６０側にスライドして移動する。この時、櫛歯部７１の櫛歯がチップ載置補助具６０の主面上のチップを下顎部４側に押して移動させることができる。
【００６１】
これによりチップ送り溝６２に沿って、複数のチップを同時に移動させ、下顎部４の凸部６ｂの浅い溝にチップを載置する作業を簡易化することができ、エクステンション毛束の取り付け作業をさらに効率化することができる。
【符号の説明】
【００６２】
１ａ  第１の圧着具
１ｂ  第２の圧着具
２ａ、２ｂ  一対の杆体
３  上顎部
４  下顎部
５ａ  上顎部の凸部
５ｂ  下顎部の凹部
６ａ  下顎部の凹部
６ｂ  下顎部の凸部
７ａ、７ｂ  一対の柄部
８  把持部
９  軸部
１０  噛合部
１１  ばね部材
２０ａ  第１のエクステンション用毛束付きチップ
２０ｂ  第２のエクステンション用毛束付きチップ
２１ａ、２１ｂ  チップ本体
２２ａ、２２ｂ  エクステンション用毛束
２３ａ、２３ｂ  凸部
３０  テール
５１  ラック
５２  ライン
５３  ネジ穴
６０  チップ載置補助具
６１  主面
６２  チップ送り溝
７０  チップ送り補助具
７１  櫛歯部
７２  裏面
７３ａ、７３ｂ  側面
７３ｃ  底面
７４  ワイヤ
７５  ワイヤ巻取り用ピニオン
７５ａ  ピニオン部
７５ｂ  ワイヤ巻取り部
７６  逆回転防止機構
【要約】
【課題】人の地毛へのエクステンション毛束の取り付け作業を効率的に行うことのできる道具を提供する。
【解決手段】断面が薄肉開断面のエクステンション用毛束取付用チップを地毛に圧着するための圧着具であって、一対の柄からなる把持部と、上顎部と下顎部からなる噛合部を備え、前記上顎部と前記下顎部のそれぞれに、凹部と凸部が長手方向に交互に設けられ前記下顎部の凸部の上部にはチップ載置溝が設けられ、前記一対の柄部を近づけるように前記把持部を把持することで、前記上顎部の凹部と凸部がそれぞれ前記下顎部の凸部と凹部と噛合する圧着具。
【選択図】図１【図１】
0006792921.tif 000002
【図２】
0006792921.tif 000003
【図３】
0006792921.tif 000004
【図４】
0006792921.tif 000005
【図５】
0006792921.tif 000006
【図６】
0006792921.tif 000007
【図７】
0006792921.tif 000008